(57)【要約】【課題】カバーやハウジングが不透明なプラスチックなどの安価な素材を用いて構成されても、ハウジング内のヒューズ回路構成体等をそのハウジングの外から容易に看取できるとともに、装置全体のコストダウンを実現可能にする。【解決手段】ハウジング１１の側壁１１ａには、該ハウジング１１の外側から内側にかけて穿たれたハウジング側窓孔１７が形成され、カバー１３の側壁には、該カバー１３の外側から内側にかけて穿たれたカバー側窓孔２３が形成され、カバー１３は、ハウジング１１に装着された際、ハウジング側窓孔１７とカバー側窓孔２３が対向するよう、ハウジング１１に対して相対的に変位する。【選択図】図１
2010108783.tif 000002
【特許請求の範囲】
【請求項１】
連結プレートと、該連結プレートに可溶体を介して連結された複数の端子部と、を有するヒューズ回路構成体と、
前記ヒューズ回路構成体を収納するハウジングと、
前記ハウジングの外側に、該ハウジングを覆うように装着されるカバーと、
を備え、
前記ハウジングの側壁には、該ハウジングの外側から内側にかけて穿たれたハウジング側窓孔が形成され、
前記カバーの側壁には、該カバーの外側から内側にかけて穿たれたカバー側窓孔が形成され、
前記カバーは、前記ハウジングに装着された際、前記ハウジング側窓孔と前記カバー側窓孔が対向するよう、前記ハウジングに対して相対的に変位することを特徴とするヒュージブルリンクユニット。
【請求項２】
前記カバーには、該カバーを前記ハウジングに対して一方向に付勢するばねが設けられ、
前記ばねの反発力によって前記カバーが前記ハウジングに対して変位した場合に、前記ハウジング側窓孔と前記カバー側窓孔が対向することを特徴とする請求項１に記載のヒュージブルリンクユニット。
【請求項３】
前記カバーには、下面がテーパ面となる突起が形成されており、
前記ハウジングが電源ボックスに収容されている間、前記カバー又は前記ハウジングに設けられた突起が前記カバー又は前記電源ボックスの内側面又は係合孔に当接することにより該カバーが前記ハウジング側窓孔と前記カバー側窓孔が対向しない位置で保持可能であることを特徴とする請求項１に記載のヒュージブルリンクユニット。
【請求項４】
連結プレートと、該連結プレートに可溶体を介して連結された複数の端子部と、を有するヒューズ回路構成体と、
前記ヒューズ回路構成体を収納するハウジングと、
前記ハウジングにヒンジを介して接続された、前記ハウジングの開口部を開閉する開閉蓋と、
前記開閉蓋を覆うように前記ハウジングに対し摺動自在に装着されるカバーと、
を備え、
前記開閉蓋には、該開閉蓋を前記ハウジングに装着した際の、該ハウジングの外側から内側にかけて穿たれた開閉蓋側窓孔が形成され、
前記カバーの側壁には、該カバーの外側から内側にかけて穿たれたカバー側窓孔が形成され、
前記カバーは、前記ハウジングに装着された際、前記開閉蓋側窓孔と前記カバー側窓孔が対向するよう、前記ハウジングに対して相対的に変位することを特徴とするヒュージブルリンクユニット。
【発明の詳細な説明】
【技術分野】
【０００１】
本発明は、連結プレートに複数の端子部および可溶体が連鎖状に設けられたヒューズ回路構成体を備えるヒュージブルリンクユニットに関する。
【背景技術】
【０００２】
近年、ブスバーと呼ばれる剛性の高い連結プレートに対し複数の端子および可溶体を連鎖状に連結してヒューズ回路構成体を構成し、このヒューズ回路構成体をハウジング内に収納したヒュージブルリンクユニットが種々提案されている。
【０００３】
このヒュージブルリンクユニットの組立時には、ヒューズ回路構成体をハウジングの開口部から回路構成体収納部の所定位置に正しく挿入する必要がある。ところが、回路構成体収納部はハウジングの外から容易に看取することができないため、ヒューズ回路構成体を構成する複数の端子の先端部分を、対応する各回路路構成体収納部にスムースに挿入することが難しい。この挿入を誤ると、端子の先端部が変形、屈曲するためこの挿入作業のやり直しが必要になる。
【０００４】
また、このようなヒュージブルリンクユニットでは、負荷への過電流供給や負荷回路の短絡事故などによって対応する可溶体であるヒューズが溶断することがあり、このヒューズの状態を監視したり、必要なメンテナンスを施したりする必要がある。
【０００５】
一方、このようなヒューズ回路構成体を構成する端子の先端部分を、それぞれ対応する回路構成体収納部にスムースに挿入可能にしたり、ハウジングの外部から可溶体（ヒューズ）の状態をハウジングの外側から監視可能にしたり、メンテナンスを容易化したりするために、ヒューズ回路構成体を収納したハウジングの開口部に透明カバーを被せたヒュージブルリンクユニットが提案されている（例えば、特許文献１参照）。
【０００６】
このヒュージブルリンクユニットでは、透明カバーを通して前記回路構成体収納部に対する端子先端部分の挿入位置の確認や、ハウジング内におけるヒューズ回路構成体の状態、特に可溶部の溶断有無の状態等をハウジングの外から容易に判別できる。
【特許文献１】特開２００４‐１９４４３２号公報
【発明の開示】
【発明が解決しようとする課題】
【０００７】
しかしながら、前記回路構成体収納部に対する端子の先端部分の挿入位置や、ハウジング内における可溶部の溶断有無の状態確認のために透明カバーを用いると、透明カバーが不透明なプラスチック材料に比べて高価であるため、ヒュージブルリンクユニット全体のコストアップを招くという不都合がある。
【０００８】
本発明は、上述した事情に鑑みてなされたものであり、その目的はカバーやハウジングが不透明なプラスチックなどの安価な素材を用いて構成されても、ハウジング内のヒューズ回路構成体等をそのハウジングの外から容易に看取できるとともに、装置全体のコストダウンを実現できるヒュージブルリンクユニットを提供することである。
【課題を解決するための手段】
【０００９】
前述した目的を達成するために、本発明に係るヒュージブルリンクユニットは、下記（１）〜（４）を特徴としている。
（１）  連結プレートと、該連結プレートに可溶体を介して連結された複数の端子部と、を有するヒューズ回路構成体と、
前記ヒューズ回路構成体を収納するハウジングと、
前記ハウジングの外側に、該ハウジングを覆うように装着されるカバーと、
を備え、
前記ハウジングの側壁には、該ハウジングの外側から内側にかけて穿たれたハウジング側窓孔が形成され、
前記カバーの側壁には、該カバーの外側から内側にかけて穿たれたカバー側窓孔が形成され、
前記カバーは、前記ハウジングに装着された際、前記ハウジング側窓孔と前記カバー側窓孔が対向するよう、前記ハウジングに対して相対的に変位すること。
（２）  上記（１）の構成のヒュージブルリンクユニットであって、
前記カバーには、該カバーを前記ハウジングに対して一方向に付勢するばねが設けられ、
前記ばねの反発力によって前記カバーが前記ハウジングに対して変位した場合に、前記ハウジング側窓孔と前記カバー側窓孔が対向すること。
（３）  上記（１）の構成のヒュージブルリンクユニットであって、
前記カバーには、下面がテーパ面となる突起が形成されており、
前記ハウジングが電源ボックスに収容されている間、前記カバー又は前記ハウジングに設けられた突起が前記カバー又は前記電源ボックスの内側面又は係合孔に当接することにより該カバーが前記ハウジング側窓孔と前記カバー側窓孔が対向しない位置で保持可能である、
こと。
（４）  連結プレートと、該連結プレートに可溶体を介して連結された複数の端子部と、を有するヒューズ回路構成体と、
前記ヒューズ回路構成体を収納するハウジングと、
前記ハウジングにヒンジを介して接続された、前記ハウジングの開口部を開閉する開閉蓋と、
前記開閉蓋を覆うように前記ハウジングに対し摺動自在に装着されるカバーと、
を備え、
前記開閉蓋には、該開閉蓋を前記ハウジングに装着した際の、該ハウジングの外側から内側にかけて穿たれた開閉蓋側窓孔が形成され、
前記カバーの側壁には、該カバーの外側から内側にかけて穿たれたカバー側窓孔が形成され、
前記カバーは、前記ハウジングに装着された際、前記開閉蓋側窓孔と前記カバー側窓孔が対向するよう、前記ハウジングに対して相対的に変位すること。
【００１０】
上記（１）のヒュージブルリンクユニットによれば、カバーのハウジングに対する移動によって、ハウジング側窓孔にカバー側窓孔を一致させて、これらの各窓孔を通してハウジング内部のヒューズ回路構成体を、このハウジングの外側から看取可能にする。従って、前記ヒューズ回路構成体の回路構成体収容部への挿入作業の容易化や、ハウジング内部における可溶体（ヒューズ）の溶断有無の確認を容易化することができる。
一方、前記カバーのハウジングに対する移動によってハウジング側窓孔とカバー側窓孔とを不一致状態にすることで、これらの両窓孔は塞がれた状態になり、ハウジング内部のヒューズ回路構成体を看取不可能にするとともに、これらの窓孔を通して外部からの湿気や塵埃等が侵入することを防止でき、端子部等における電気的、機械的接続の性能劣化を未然に回避することができる。また、前記カバーおよびハウジングを不透明部材で構成することができるため、装置全体のコストアップを抑えることができる。
上記（２）の構成のヒュージブルリンクユニットによれば、前記反発力の方向およびこの反発力に抗する方向への指先等によるカバーの移動操作によって、ハウジング側窓孔とカバー側窓孔を簡単に連通または非連通にすることができ、連通時にはハウジング内部のヒューズ回路構成体をハウジング外から看取でき、一方、非連通時にはハウジング内部への塵埃や湿気の侵入を防止できる。
上記（３）の構成のヒュージブルリンクユニットによれば、電源ボックスに収容した際にハウジング側窓孔とカバー側窓孔を非連通に、電源ボックスから取り出した際にはハウジング側窓孔とカバー側窓孔を連通にすることができるため、ヒュージブルリンクユニットの取り出し・収容という簡単な作業によって、ハウジング側窓孔とカバー側窓孔の連通・非連通を切り替えることができる。
上記（４）の構成のヒュージブルリンクユニットによれば、ヒンジを中心とする開閉蓋の開閉によってハウジング内部におけるヒューズ回路構成体の保守、点検を容易化できるとともに、ハウジングに対しカバーを摺動操作することで、ハウジング側窓孔に対する開閉蓋側窓孔の一致（連通）および不一致（非連通）を簡単かつスムースに実施できる。また、非連通時にはハウジング内部への塵埃や湿気の侵入を防止できる。
【発明の効果】
【００１１】
本発明のヒュージブルリンクユニットによれば、カバーやハウジングが不透明のプラスチックなど安価な素材を用いて構成されても、カバーの簡単な移動操作のみでハウジング内のヒューズ回路構成体をそのハウジングの外から容易に看取、確認できるとともに、装置全体のコストダウンを実現できる。
【発明を実施するための最良の形態】
【００１２】
以下に、本発明に係る好適な実施形態を添付図面に基づいて説明する。
（第１の実施形態）
図１乃至図６は、本発明の第１の実施形態に係るヒュージブルリンクユニット１０を示す。このヒュージブルリンクユニット１０は、ハウジング１１と、このハウジング１１内に収納されたヒューズ回路構成体１２と、このヒューズ回路構成体１２を収納するハウジング１１の開口部を覆うようにこの開口部上に移動（摺動）可能に取り付けられたカバー１３と、を備える。このヒュージブルリンクユニット１０は、図４および図５に示すような車両用の電源ボックス２４に装着可能となっている。
【００１３】
ハウジング１１は全体として矩形断面を持つ筒状体をなし、不透明のプラスチック材料により成形されて、上筒部とこれより僅か小さ目の下筒部とを一体に連設したものからなる。上筒部と下筒部とが連続する部位の内側面および外側面には、段部１１ｅおよび段部１１ｆがそれぞれ形成されている。段部１１ｅは前記内側面（垂直面）に対して直行する方向に形成され、段部１１ｆは外側面（垂直面）に対し傾斜する方向に形成されている。
【００１４】
ヒューズ回路構成体１２は、導電材料からなる帯状の連結プレート１４と、この連結プレート１４の下縁に一端が電気的に接続された複数本の可溶体（ヒューズ）１５と、これらの可溶体１５の他端に接続されて、負荷電流対応の所定の電流容量を持つ雌型やビス止め型などと呼ばれる各種の端子部１６と、を有する。これらの可溶体１５や端子部１６はハウジング１１内に設けられた回路構成体収納部（図示しない）等に装着自在または着脱自在、あるいは固定的に取り付けられている。なお、これらの取り付け構造については、従来から種々提案されているいずれの構造をも採用できる。各端子部１６には、相手側コネクタの各端子部が接続可能になっている。
【００１５】
ハウジング１１の正面壁１１ａおよび背面壁１１ｂには、図１、図２、図３および図６に示すように、このハウジング１１の内外に貫通する複数の窓孔（ハウジング側窓孔）１７が形成されている。これらの窓孔１７は、縦長の矩形孔であり、後述のようにカバー側窓孔２３を通して、ハウジング１１内のヒューズ回路構成体１２、主に可溶体１５をハウジング１１外の正面方向または斜め横方向から看取できる所定のサイズとされている。
【００１６】
更に、ハウジング１１の正面壁１１ａおよび背面壁１１ｂには、中央上部付近にガイド孔１８が形成されている。これらのガイド孔１８は横長の貫通孔であり、カバー１３に設けられた後述のガイド突起１９を横方向摺動自在にガイドするように機能する。また、ハウジング１１の正面壁１１ａには、後述するカバー１２の係合孔２６に嵌め込まれる突起２５が、正面壁１１ａから外部に向けて突出する方向に形成されている。
【００１７】
前記カバー１３は全体として上部が天板１３ｇによって塞がれた矩形の筒体をなし、不透明のプラスチック材料によって成形されている。天板１３ｇにはこのカバー１３の正面壁１３ａおよび背面壁１３ｂよりも前後方向に突出する鍔片１３ｅ、１３ｆが一体に設けられている。また、正面壁１３ａおよび背面壁１３ｂの上部中央付近には、ハウジング１１に形成された前記ガイド孔１８内に挿入されて摺動されるガイド突起１９が設けられている。また、天板１３ｇには、該天板１３ｇの端部から正面壁１３ａ方向に突出し、且つカバー１３がハウジング１１に取り付けられた際の正面壁１１ａにその一部分が対向する突出部２７が形成されている。この突出部２７には、正面壁１１ａから外部に向けて突出する突起２５が係合可能な係合孔２６が形成されている。
【００１８】
更に、カバー１３の正面壁１３ａと背面壁１３ｂにはカバー１３の内外に貫通する複数個の前記窓孔（カバー側窓孔）２３が形成されている。これらの窓孔２３は縦長の矩形孔であり、ハウジング１１側の窓孔１７に連通したとき、これらを介してハウジング１１内のヒューズ回路構成体１２、特に可溶体１５を外部から明確に看取できるサイズとされている。
【００１９】
カバー１３の左側面壁１３ｃと天板１３ｇとが連続する部分には、下面がテーパ面Ｐとなる所定幅の突起２０が設けられている。この突起２０には、さらに、カバー１３がハウジング１１に取り付けられた際の正面壁１１ａに向けて突出する突起２８が形成されている。
【００２０】
一方、このカバー１３の右側面壁１３ｄと天板１３ｇとが連続する部分には、矩形の切欠部２１が形成され、この切欠部２１の下方に、この切欠部２１を形成する天板１３ｇの一部から垂下するように、略Ｕ字形のばね片２２が一体に連設されている。
【００２１】
従って、カバー１３の鍔片１３ｅ、１３ｆをハウジング１１の正面壁１１ａおよび背面壁１１ｂの上面に載置するように、カバー１３をハウジング１１の上部開口（正面壁１１ａおよび背面壁１１ｂの内面間）に装着した際には、ばね片２２の反発力によって、カバー１３は、図２および図４に示すように、矢印Ｘ方向に付勢されて保持される。従って、突起２０はハウジング１１の切欠１１内からその左方向へ突出する状態となる。
【００２２】
このとき、カバー１３外側のガイド突起１９の左端が、図２および図６に示すように、ガイド孔１８の左端縁に係止（当接）される。そして、このようなカバー１３のハウジング１１に対する左方向（Ｘ方向）への付勢によって、図２および図３に示すように、カバー１３側の窓孔２３とハウジング１１側の窓孔１７とが相互に連通することとなる。従って、これらの互いに連通した窓孔１７、２３を通して、ハウジング１１の外側からハウジング１１内のヒューズ回路構成体１２の全部または可溶体（ヒューズ）１５を看取することができる。
【００２３】
第１の実施形態に係るヒュージブルリンクユニットは以上のように構成されており、カバー１３がハウジング１１の上部開口を被った状態で摺動可能になっている。この摺動は、カバー１３の鍔片１３ｅ、１３ｆがハウジング１１の正面壁１１ａおよび背面壁１１ｂの上面にそれぞれ支持され、かつガイド突起１９がハウジング１１のガイド孔１８に沿ってスムースにガイドされることによって行われる。
【００２４】
このようにカバー１３がハウジング１１に対してこれの開口部を覆うように装着された状態にあっては、図３に示すように、ばね片２２の反発力を受けて、このばね片２２とは反対側のカバー１３の側面壁１３ｃがハウジング１１の側面壁１１ｃの内面に押し当てられて保持される。
【００２５】
この状態では、カバー１３側の窓孔１７はハウジング１１側の窓孔２３に連通するように合致する。従って、これらの窓孔２３、１７を通してハウジング１１内のヒューズ回路構成体１２、特に可溶体１５が看取可能になる。このとき、図２に示すように、カバー１３の係合孔２６にはハウジング１１の突起２５が嵌まり込み、また、カバー１３の突起２８はハウジング１１の側面壁１１ｃの内側に位置して該側面壁１１ｃに係合する。このため、係合孔２６と突起２５、および突起２８と側面壁１１ｃによっても、カバー１３側の窓孔１７がハウジング１１側の窓孔２３に連通した状態で、カバー１３はハウジング１１に対して固定・保持される。
【００２６】
一方、ばね片２２の反発力に抗して、カバー１３をハウジング１１に対して矢印Ｙ方向に摺動させた場合には、ばね片２２は収縮し、窓孔１７はカバー１３側の正面壁１３ａおよび背面壁１３ｂによって塞がれ、窓孔２３はハウジング１１側の正面壁１１ａおよび背面壁１１ｂによって塞がれる。
【００２７】
従って、各窓孔２３、１７を通してハウジング１１内のヒューズ回路構成体１２を看取できなくなる。このように、カバー１３をハウジング１１に対して摺動操作することで、ヒューズ回路構成体１２における可溶体１５の溶断状態などを、ハウジング１１の外側壁側から目視にて確実にチェックすることができる。
【００２８】
なお、カバー１３をハウジング１１に対して矢印Ｙ方向に摺動させる場合には、カバー１３の係合孔２６とハウジング１１の突起２５の係合状態およびカバー１３の突起２８とハウジング１１の側面壁１１ｃの係合状態を解除する必要がある。このような状態でカバー１３をハウジング１１に対して摺動操作する場合には、摺動させる方向とは反対方向に作用する、係合状態を解除するための抵抗力が働くため、その操作を行う利用者に対して、窓孔１７と窓孔２３が塞ぐ操作を行っていることを感覚的に通知することができる。
【００２９】
図４および図５は、前記のようにカバー１３を装着したハウジング１１を、車両用の電源ボックス２４に装着した状態およびこの電源ボックス２４から外した状態を示す。この電源ボックス２４は、全体としてプラスチック成形された筒状体をなし、上半部２４ａは肉薄、下半部２４ｂは肉厚となっており、これらの上半部２４ａおよび下半部２４ｂが連続する部分では内周面に段部２４ｃが形成されている。また、この電源ボックス２４の上端には外方向に向かって水平に突出するフランジ部２４ｄが形成されている。
【００３０】
上半部２４ａの対向する内側面間距離は、図４に示すようにハウジング１１の上筒部の外側面間距離より僅か大き目であり、下半部２４ｂの対向する内側面間距離は、ハウジング１１の下筒部の外側面間距離より僅か大き目である。
【００３１】
従って、ハウジング１１にカバー１３を装着したものを、電源ボックス２４内にこれの上部開口側から差し入れると、下筒部が下半部２４ｂの内側面に接するように移動し、上筒部が上半部２４ａ内面に接するように移動する。更に、ハウジング１１を相手ボックス２４内に押し込み操作すると、切欠１１ｈの外に突出している突起２０の傾斜面Ｐが電源ボックス２４のフランジ部２４ｄ付近の内端縁に押し付けられる。
【００３２】
この押し付け力を受けて、カバー１３の傾斜面Ｐがその内端縁にガイドされ、は図４の矢印Ｙ方向にカバー１３が移動する。この移動によって、ばね片２２は、図５に示すように横方向に圧縮され、これまで連通していたカバー１３の窓孔２３とハウジング１１の窓孔１７とが相互に塞がれ、各窓孔２３、１７を通してのハウジング１１内のヒューズ回路構成体１２を看取できなくなる。
【００３３】
一方、ハウジング１１を相手ボックス２４に対し前記とは逆方向に、図４に示すように持ち上げると、前記内周縁の傾斜面Ｐに対する圧力が解除される。このためカバー１３はハウジング１１内において、ばね片２２の反発力を受けて、図３において矢印Ｘ方向へ移動する。この移動が最大量行われると、再び各窓孔１７、２３が連通し、ハウジング１１内部のヒューズ回路構成体１２が看取可能になる。
【００３４】
このように本発明の第１の実施形態のヒュージブルリンクユニットによれば、相手ボックス２４に収容した際にカバー１３の窓孔２３とハウジング１１の窓孔１７とが相互に塞がれ、一方、相手ボックス２４から取り出した際にはカバー１３の窓孔２３とハウジング１１の窓孔１７とが連通するため、ヒュージブルリンクユニット１０の相手ボックス２４からの取り出し・収容という簡単な作業によって、カバー１３の窓孔２３とハウジング１１の窓孔１７の連通・非連通を切り替えることができる。
【００３５】
（第２の実施形態）
図７乃至図１０は本発明に係るヒュージブルリンクユニットの他の実施形態を示す。このヒュージブルリンクユニット３０は、第１の実施形態におけるものと同様のヒューズ回路構成体が収容されたハウジング３１と、このハウジング３１上の上部開口を覆う開閉蓋３２と、この開閉蓋３２を覆うようにハウジング３１に取り付けられたカバー３３とを備える。このヒュージブルリンクユニット３０は、図示しない車両用の電源ボックスに装着される。
【００３６】
ハウジング３１は全体として第１の実施形態に示すものと略同一の構成を持ち、このハウジング３１の正面壁３１ａおよび背面壁３１ｂの上部には、横長の係止溝３５が形成されている。ハウジング３１の開口上部には、開閉蓋３２がヒンジ部材３４によって開閉自在の取り付けられている。従って、開閉蓋３２をヒンジ部材３４を中心に回動して開いた場合には、ハウジング３１内部に収納されたヒューズ回路構成体のメンテナンス等を実施できる。この開閉蓋３２は全体として長方形のプラスチック板材からなり、図９に示すように複数の窓孔３６が貫通形成されている。
【００３７】
前記カバー３３は全体としてコ字状断面の長方体であり、上面板３３ａの前後端に正面板３３ｂおよび背面板３３ｃを垂下方向に連設したものからなる。このカバー３３の上面版３３ａには、図１０に示すように表裏面に貫通する複数の窓孔（カバー側窓孔）３７が形成されている。これらの窓孔３７の形状、サイズおよび配置（間隔）は前記開閉蓋３２に設けられた窓孔（開閉蓋側窓孔）３６と同等とされている。
【００３８】
また、正面板３３ｂおよび背面板３３ｃの略中央部内面には、所定長の係止爪３８が一体に設けられている。従って、カバー３３の正面板３３ｂおよび背面板３３ｃを互いに加減しながら押し開き、開閉蓋３２の上をカバー３３によって覆うようにすると、ハウジング３１の正面壁３１ａおよび背面壁３1ｂに設けられた係止溝３５に各係止爪１８が嵌まり込む。なお、係止溝３５は係止爪３８に比べて開閉蓋３２の所定の移動可能量分だけ長めに形成されている。
【００３９】
従って、この移動可能量分内で係止爪３８を係止溝３５内で水平方向に移動させることができ、開閉蓋３２の窓孔３６に対しカバー３３の窓孔３７を連通させたり、相互に閉じさせたりすることができる。図７は、ハウジング３１に対してカバー３３を移動する前の状況を示し、この状況では各窓孔３６、３７は閉じられている。
【００４０】
一方、カバー３３を図８に示すように右方へずらせた場合には、各窓孔３６、３７は開かれて、これらの窓孔３６、３７を通してハウジング３１内部のヒューズ回路構成体をハウジング３１の外から看取することができる。このようにハウジング３１に対し開閉自在に取り付けられた開閉蓋に対してカバー３３をスライドさせることによっても、ハウジング３１内のヒューズ回路構成体，更に具体的には可溶体の状態確認を容易、確実に行うことができる。
【００４１】
なお、前記各実施形態では、ヒュージブルリンクユニットを車両に備えるものについて述べたが、これ以外に、例えば自動２輪車、プレジャーボート、船外機や船内機付きのヨット、小型の飛行機などのような各種の電装品を備えた乗り物などへの設置も可能である。
【図面の簡単な説明】
【００４２】
【図１】本発明の第１の実施形態に係るヒュージブルリンクユニットを示す斜視図である。
【図２】そのヒュージブルリンクユニットの一つの動作状態を示す斜視図である。
【図３】図２に示すヒュージブルリンクユニットの正面図である。
【図４】図３に示すヒュージブルリンクユニットをボックスに装着する前の正面断面図である。
【図５】図３に示すヒュージブルリンクユニットをボックスに装着した後の正面断面図である。
【図６】図２に示すヒュージブルリンクユニットの一部を破断した斜視図である。
【図７】本発明の第２の実施形態に係るヒュージブルリンクユニットを示す斜視図である。
【図８】図７に示したヒュージブルリンクユニットのカバーを水平方向にずらせた状態の斜視図である。
【図９】図７に示したヒュージブルリンクユニットのカバーを外した状態の斜視図である。
【図１０】図７に示したヒュージブルリンクユニットのカバーであり、（ａ）はその斜視図、（ｂ）はその縦断側面図である。
【符号の説明】
【００４３】
１０  ヒュージブルリンクユニット
１１  ハウジング  
１２  ヒューズ回路構成体
１３、３３  カバー
１４  連結プレート
１５  可溶体（ヒューズ）
１６  端子部
１７  窓孔（ハウジング側窓孔）
１７  ガイド孔
１９  ガイド突起
２０  突起
２１  切欠部
２２  ばね片
２３  窓孔（カバー側窓孔）
２４  相手ボックス（電源ボックス）
Ｐ  傾斜面
３０  ヒュージブルリンクユニット
３１  ハウジング
３２  開閉蓋
３４  ヒンジ部材  
３５  係止溝
３６  窓孔（開閉蓋側窓孔）
３７  窓孔（カバー側窓孔）
３８  係止爪
【図１】
2010108783.tif 000003
【図２】
2010108783.tif 000004
【図３】
2010108783.tif 000005
【図４】
2010108783.tif 000006
【図５】
2010108783.tif 000007
【図６】
2010108783.tif 000008
【図７】
2010108783.tif 000009
【図８】
2010108783.tif 000010
【図９】
2010108783.tif 000011
【図１０】
2010108783.tif 000012